(57)【要約】【課題】外耳道を傷つけることなく耳垢を効果的に除去し得るようにした耳かきを提供する。【解決手段】軸１の一端に略半球状の突起３を形成し、軸における該突起に隣接する位置に毛５を植設したことを特徴とする耳かき。前記軸は略四角柱体であり、前記毛５は該略四角柱体の一辺における前記突起に隣接する位置に植設される。前記毛５は軸の全周における前記突起に隣接する位置に植設する。軸の一端における全面に毛を植設する。軸の一端にかきとり部を屈曲形成し、該かきとり部の前面に掃き取り用の毛を植設する。軸の他端にかきとり部１３を屈曲形成する。【選択図】図１
0003127726.tif 000002
【実用新案登録請求の範囲】
【請求項１】
軸の一端に略半球状の突起を形成し、軸における該突起に隣接する位置に毛を植設したことを特徴とする耳かき。
【請求項２】
前記軸は略四角柱体であり、前記毛は該略四角柱体の一辺における前記突起に隣接する位置に植設されていることを特徴とする請求項１に記載の耳かき。
【請求項３】
前記毛は軸の全周における前記突起に隣接する位置に植設されていることを特徴とする請求項１に記載の耳かき。
【請求項４】
軸の一端における全面に毛を植設したことを特徴とする耳かき。
【請求項５】
軸の一端にかきとり部を屈曲形成し、該かきとり部の前面に掃き取り用の毛を植設したことを特徴とする耳かき。
【請求項６】
軸の他端にかきとり部を屈曲形成したことを特徴とする請求項１〜５のいずれかに記載の耳かき。
【考案の詳細な説明】
【技術分野】
【０００１】
本考案は、耳かきに関するものであり、特に外耳道を傷つけることなく耳垢を効果的に除去し得るようにした耳かきに係るものである。
【背景技術】
【０００２】
耳かきとしては、軸の先端に小皿状のかきとり部を形成してなるもの（以下「従来の耳かきＡ」という。）が従来より一般に使用されている。
【０００３】
また、実用新案登録第３１１５３６３号公報は、軸の先端に小皿状のかきとり部を形成し、該かきとり部の外面に短毛を鬚状に多数形成し、更にかきとり部に隣接する軸の先端位置にブラシ部を形成してなる耳かき（以下「従来の耳かきＢ」という。）を開示している。
【特許文献１】実用新案登録第３１１５３６３号公報
【考案の開示】
【考案が解決しようとする課題】
【０００４】
しかるに、従来の耳かきＡを使用したときには、外耳道に傷が付くおそれがある。
【０００５】
また、従来の耳かきＢにおいては、外面に短毛を鬚状に多数形成したかきとり部が先端に位置するため、外耳道に傷が付くおそれがある。
【０００６】
本考案は、上記従来の耳かきＡ、Ｂにおける上述の如き問題を解決し、外耳道を傷つけることなく耳垢を効果的に除去し得るようにした耳かきを提供しようとしてなされたものである。
【課題を解決するための手段】
【０００７】
上記課題を解決するために、本考案は下記の耳かきを提供する。
【０００８】
（１）軸の一端に略半球状の突起を形成し、軸における該突起に隣接する位置に毛を植設したことを特徴とする耳かき（請求項１）。
【０００９】
（２）前記軸は略四角柱体であり、前記毛は該略四角柱体の一辺における前記突起に隣接する位置に植設されている（請求項２）。
【００１０】
（３）前記毛は軸の全周における前記突起に隣接する位置に植設する（請求項３）。
【００１１】
（４）軸の一端における全面に毛を植設する（請求項４）。
【００１２】
（５）軸の一端にかきとり部を屈曲形成し、該かきとり部の前面に掃き取り用の毛を植設する（請求項５）。
【００１３】
（６）軸の他端にかきとり部を屈曲形成する（請求項６）。
【考案の効果】
【００１４】
［請求項１の考案］
軸の一端に略半球状の突起が形成されているため、軸の当該一端により外耳道の奥部を傷つけるおそれがない。軸における該突起に隣接する位置に植設された毛により、外耳道内の耳垢は効果的に除去される。
【００１５】
［請求項２の考案］
毛は軸を形成する略四角柱体状における一辺に植設されているため、外耳道内における特定部位の耳垢を効果的に除去することができると共に、極めて使用感に優れている。その他の点においては、請求項２の考案は、前記請求項１の考案と同様の効果を発揮する。
【００１６】
［請求項３の考案］
毛は軸の全周における前記突起に隣接する位置に植設されているため、外耳道内の耳垢が満遍なく除去される。その他の点においては、請求項３の考案は、前記請求項１の考案と同様の効果を発揮する。
【００１７】
［請求項４の考案］
軸の一端における全面に毛が植設されているため、軸の当該一端が外耳道に直接当接することがない。従って、軸の当該一端により外耳道の奥部を傷つけるおそれがない。また、軸の一端における全面に植設された毛により、外耳道内の耳垢は効果的に除去される。
【００１８】
［請求項５の考案］
かきとり部により外耳道からかきとられた耳垢は、掃き取り用の毛により外耳道から効果的に掃き出される。また、かきとり部の前面に掃き取り用の毛が植設されているため、かきとり部が外耳道の奥部に直接当接することがない。従って、かきとり部により外耳道の奥部を傷つけるおそれがない。
【００１９】
［請求項６の考案］
請求項６の耳かきは、上記請求項１〜５の耳かきにおける軸の他端にかきとり部を屈曲形成したものであり、軸の当該他端のかきとり部は必要に応じて適宜使用することができる。
【考案を実施するための最良の形態】
【００２０】
符号１に示すものは耳かきの軸である。
【００２１】
軸１は、合成樹脂、木、金属等により形成する。
【００２２】
軸１は、例えば、直径約２ｍｍの円柱体、一辺の長さ約２ｍｍの略四角柱体等とし、その長さは約８０〜９０ｍｍとする。
【００２３】
軸１の一端に略半球状の突起３を形成し、軸１における該突起３に隣接する位置に毛５を植設する。
【００２４】
略半球状の突起３は、一例として、直径約２．５ｍｍ、高さ（軸１の端からの前方への突出長さ）約１ｍｍとする。
【００２５】
毛５は、例えば、合成樹脂、動物の毛、植物の繊維等により形成する。
【００２６】
軸１の表面からの毛５の突出長さは、一例として約２ｍｍとする。
【００２７】
軸１の長さ方向における毛５の植設幅は、例えば、図１〜図５に示す事例においては約２ｍｍ（図１〜図５）、図６に示す事例においては約１０ｍｍである。
【００２８】
図１〜図４に示す事例においては、軸１は略四角柱体であり、毛５は該略四角柱体の一辺における突起３に隣接する位置に植設されている。なお、毛５は、先端が略四角柱体の当該一辺と略平行になるように植設してもよいが、毛５の先端が略四角柱体の当該一辺に対し略円弧状になるようにアールを付けて植設しても差し支えないことはいうまでもない。
【００２９】
図５、図６に示す事例においては、前記毛５は軸１の全周における前記突起３に隣接する位置に植設されている。
【００３０】
図８に示す事例においては、軸１の一端における全面に毛７を植設し、軸１の当該一端が外耳道に直接当接しないようにしている。
【００３１】
この事例における毛７も、前記毛５と同様に、例えば、合成樹脂、動物の毛、植物の繊維等により形成する。
【００３２】
軸１の表面からの毛７の突出長さは、一例として約２ｍｍとする。
【００３３】
図９に示す事例においては、軸１の一端にかきとり部９を屈曲形成し、該かきとり部９の前面に掃き取り用の毛１１を植設している。
【００３４】
掃き取り用の毛１１も、前記毛５と同様に、例えば、合成樹脂、動物の毛、植物の繊維等により形成する。
【００３５】
掃き取り用の毛１１のかきとり部９の表面からの突出長さは、例えば約２〜３ｍｍとする。
【００３６】
上記いずれの耳かきにおいても、軸１の他端にかきとり部１３を屈曲形成してもよい。図１参照。
【００３７】
なお、本考案における「植設」は、毛を軸と一体的に形成し或いは毛を軸に直接植え付けることのみならず、毛を植え付けた毛支持体を軸に取り付けることをも含むものとする。
【図面の簡単な説明】
【００３８】
【図１】本考案による耳かきの一例を示す側面図である。
【図２】同上耳かきの一部を示す斜視図である。
【図３】同上耳かきの断面図である。
【図４】同上耳かきの正面図である。
【図５】本考案による耳かきの別の一例を示す斜視図である。
【図６】本考案による耳かきの更に別の一例を示す斜視図である。
【図７】軸の一端に形成した突起を示す側面図である。
【図８】本考案による耳かきの更に別の一例を示す斜視図である。
【図９】本考案による耳かきの更に別の一例を示す斜視図である。
【符号の説明】
【００３９】
１  軸
３  突起
５  毛
７  毛
９  かきとり部
１１  毛
１３  かきとり部
【図１】
0003127726.tif 000003
【図２】
0003127726.tif 000004
【図３】
0003127726.tif 000005
【図４】
0003127726.tif 000006
【図５】
0003127726.tif 000007
【図６】
0003127726.tif 000008
【図７】
0003127726.tif 000009
【図８】
0003127726.tif 000010
【図９】
0003127726.tif 000011
【手続補正書】
【提出日】平成18年10月6日(2006.10.6)
【手続補正１】
【補正対象書類名】実用新案登録請求の範囲
【補正対象項目名】全文
【補正方法】変更
【補正の内容】
【実用新案登録請求の範囲】
【請求項１】
軸の一端に略半球状の突起を形成し、軸における該突起に隣接する位置に毛を植設したことを特徴とする耳かき。
【請求項２】
前記軸は略四角柱体であり、前記毛は該略四角柱体の一辺における前記突起に隣接する位置に植設されていることを特徴とする請求項１に記載の耳かき。
【請求項３】
前記毛は軸の全周における前記突起に隣接する位置に植設されていることを特徴とする請求項１に記載の耳かき。
【請求項４】
軸の他端にかきとり部を屈曲形成したことを特徴とする請求項１〜３のいずれかに記載の耳かき。
【手続補正２】
【補正対象書類名】明細書
【補正対象項目名】全文
【補正方法】変更
【補正の内容】
【考案の詳細な説明】
【技術分野】
【０００１】
本考案は、耳かきに関するものであり、特に外耳道を傷つけることなく耳垢を効果的に除去し得るようにした耳かきに係るものである。
【背景技術】
【０００２】
耳かきとしては、軸の先端に小皿状のかきとり部を形成してなるもの（以下「従来の耳かきＡ」という。）が従来より一般に使用されている。
【０００３】
また、実用新案登録第３１１５３６３号公報は、軸の先端に小皿状のかきとり部を形成し、該かきとり部の外面に短毛を鬚状に多数形成し、更にかきとり部に隣接する軸の先端位置にブラシ部を形成してなる耳かき（以下「従来の耳かきＢ」という。）を開示している。
【特許文献１】実用新案登録第３１１５３６３号公報
【考案の開示】
【考案が解決しようとする課題】
【０００４】
しかるに、従来の耳かきＡを使用したときには、外耳道に傷が付くおそれがある。
【０００５】
また、従来の耳かきＢにおいては、外面に短毛を鬚状に多数形成したかきとり部が先端に位置するため、外耳道に傷が付くおそれがある。
【０００６】
本考案は、上記従来の耳かきＡ、Ｂにおける上述の如き問題を解決し、外耳道を傷つけることなく耳垢を効果的に除去し得るようにした耳かきを提供しようとしてなされたものである。
【課題を解決するための手段】
【０００７】
上記課題を解決するために、本考案は下記の耳かきを提供する。
【０００８】
（１）軸の一端に略半球状の突起を形成し、軸における該突起に隣接する位置に毛を植設したことを特徴とする耳かき（請求項１）。
【０００９】
（２）前記軸は略四角柱体であり、前記毛は該略四角柱体の一辺における前記突起に隣接する位置に植設されている（請求項２）。
【００１０】
（３）前記毛は軸の全周における前記突起に隣接する位置に植設する（請求項３）。
【００１１】
（４）軸の他端にかきとり部を屈曲形成する（請求項４）。
【考案の効果】
【００１２】
［請求項１の考案］
軸の一端に略半球状の突起が形成されているため、軸の当該一端により外耳道の奥部を傷つけるおそれがない。軸における該突起に隣接する位置に植設された毛により、外耳道内の耳垢は効果的に除去される。
【００１３】
［請求項２の考案］
毛は軸を形成する略四角柱体状における一辺に植設されているため、外耳道内における特定部位の耳垢を効果的に除去することができると共に、極めて使用感に優れている。その他の点においては、請求項２の考案は、前記請求項１の考案と同様の効果を発揮する。
【００１４】
［請求項３の考案］
毛は軸の全周における前記突起に隣接する位置に植設されているため、外耳道内の耳垢が満遍なく除去される。その他の点においては、請求項３の考案は、前記請求項１の考案と同様の効果を発揮する。
【００１５】
［請求項４の考案］
請求項４の耳かきは、上記請求項１〜３の耳かきにおける軸の他端にかきとり部を屈曲形成したものであり、軸の当該他端のかきとり部は必要に応じて適宜使用することができる。
【考案を実施するための最良の形態】
【００１６】
符号１に示すものは耳かきの軸である。
【００１７】
軸１は、合成樹脂、木、金属等により形成する。
【００１８】
軸１は、例えば、直径約２ｍｍの円柱体、一辺の長さ約２ｍｍの略四角柱体等とし、その長さは約８０〜９０ｍｍとする。
【００１９】
軸１の一端に略半球状の突起３を形成し、軸１における該突起３に隣接する位置に毛５を植設する。
【００２０】
略半球状の突起３は、一例として、直径約２．５ｍｍ、高さ（軸１の端からの前方への突出長さ）約１ｍｍとする。
【００２１】
毛５は、例えば、合成樹脂、動物の毛、植物の繊維等により形成する。
【００２２】
軸１の表面からの毛５の突出長さは、一例として約２ｍｍとする。
【００２３】
軸１の長さ方向における毛５の植設幅は、例えば、図１〜図５に示す事例においては約２ｍｍ（図１〜図５）、図６に示す事例においては約１０ｍｍである。
【００２４】
図１〜図４に示す事例においては、軸１は略四角柱体であり、毛５は該略四角柱体の一辺における突起３に隣接する位置に植設されている。なお、毛５は、先端が略四角柱体の当該一辺と略平行になるように植設してもよいが、毛５の先端が略四角柱体の当該一辺に対し略円弧状になるようにアールを付けて植設しても差し支えないことはいうまでもない。
【００２５】
図５、図６に示す事例においては、前記毛５は軸１の全周における前記突起３に隣接する位置に植設されている。
【００２６】
図８に示す事例においては、軸１の一端における全面に毛７を植設し、軸１の当該一端が外耳道に直接当接しないようにしている。
【００２７】
この事例における毛７も、前記毛５と同様に、例えば、合成樹脂、動物の毛、植物の繊維等により形成する。
【００２８】
軸１の表面からの毛７の突出長さは、一例として約２ｍｍとする。
【００２９】
図９に示す事例においては、軸１の一端にかきとり部９を屈曲形成し、該かきとり部９の前面に掃き取り用の毛１１を植設している。
【００３０】
掃き取り用の毛１１も、前記毛５と同様に、例えば、合成樹脂、動物の毛、植物の繊維等により形成する。
【００３１】
掃き取り用の毛１１のかきとり部９の表面からの突出長さは、例えば約２〜３ｍｍとする。
【００３２】
上記いずれの耳かきにおいても、軸１の他端にかきとり部１３を屈曲形成してもよい。図１参照。
【００３３】
なお、本考案における「植設」は、毛を軸と一体的に形成し或いは毛を軸に直接植え付けることのみならず、毛を植え付けた毛支持体を軸に取り付けることをも含むものとする。
【図面の簡単な説明】
【００３４】
【図１】本考案による耳かきの一例を示す側面図である。
【図２】同上耳かきの一部を示す斜視図である。
【図３】同上耳かきの断面図である。
【図４】同上耳かきの正面図である。
【図５】本考案による耳かきの別の一例を示す斜視図である。
【図６】本考案による耳かきの更に別の一例を示す斜視図である。
【図７】軸の一端に形成した突起を示す側面図である。
【図８】本考案による耳かきの更に別の一例を示す斜視図である。
【図９】本考案による耳かきの更に別の一例を示す斜視図である。
【符号の説明】
【００３５】
１  軸
３  突起
５  毛
７  毛
９  かきとり部
１１  毛
１３  かきとり部